(57)【要約】【課題】  通常の使用時と書画カメラとしての使用時との双方において、各々に適したスルー画像の表示を可能とする。【解決手段】  デジタルカメラ５１に、装着状態にあるときには、撮影待機状態でのスルーレートを１０枚／秒に設定させる一方、カメラスタンド１１へ装着されていない通常時には、撮影待機状態でのスルーレートを３０枚／秒に設定させる。書画カメラ１として使用する場合には、蛍光灯の下での撮影時におけるフリッカの発生を防止し、スルー画像に見やすさを確保する一方、通常のデジタルカメラとしての使用時には、被写体に対する追従性を低下させることなく、撮影に適した速さの滑らかな動きをスルー画像に確保する。また、カメラスタンド１１にカメラ用電源スイッチ１７ａを設け、それによるデジタルカメラ５１の電源をオン・オフ操作可能としたり、ＰＣ２によるデジタルカメラ５１の遠隔操作を可能とし、利便性を向上させる。【選択図】      図１
2005318023.tif 000002
【特許請求の範囲】
【請求項１】
カメラスタンドに着脱自在であるとともに、被写体を撮像する撮像素子を備え、撮影待機状態で撮像素子により撮像した被写体のスルー画像を取り込む電子カメラ装置であって、
前記カメラスタンドとの装着状態を確認する確認手段と、
この確認手段により装着状態が確認されたことに伴い、撮影待機状態における前記撮像素子からの撮像信号の読み出し間隔を、前記カメラスタンドに装着されていない状態での読み出し間隔よりも長い、フリッカを生じさせない時間に設定する制御手段と
を備えたことを特徴とする電子カメラ装置。
【請求項２】
前記カメラスタンドに装着された状態で、カメラスタンドとの電気的な接続状態を確保する接続手段を備え、前記制御手段は、その接続手段を介して外部機器から入力した操作信号に基づく制御を実施することを特徴とする請求項１記載の電子カメラ装置。
【請求項３】
前記外部機器は、前記カメラスタンドに接続された機器であることを特徴とする請求項２記載の電子カメラ装置。
【請求項４】
使用者が動作を指示するための入力手段を備え、前記制御手段は、前記確認手段によりカメラスタンドとの装着状態が確認されたことに伴い、前記入力手段による使用者からの指示を無効とする動作モードによる制御を開始することを特徴とする請求項２又は３記載の電子カメラ装置。
【請求項５】
前記カメラスタンドに装着された状態で、カメラスタンドとの電気的な接続状態を確保する接続手段と、
この接続手段を介して前記カメラスタンドに設けられた電源スイッチがオン操作されたことを検出するオン操作検出手段と、
このオン操作検出手段により前記電源スイッチがオン操作されたことに応答して、電源を投入する電源投入手段と
を備えたことを特徴とする請求項１記載の電子カメラ装置。
【請求項６】
前記カメラスタンドに装着された状態での起動中においては、前記カメラスタンドから供給される電力を自己の駆動電力として使用することを特徴とする請求項１〜５のいずれか１項に記載の電子カメラ装置。
【請求項７】
前記撮像素子により撮像した被写体のスルー画像を表示する表示手段を備えたことを特徴とする請求項１〜６のいずれか１項に記載の電子カメラ装置。
【請求項８】
前記撮像素子により撮像した被写体のスルー画像を外部機器へ出力する出力手段を備えたことを特徴とする請求項１〜７のいずれか１項に記載の電子カメラ装置。
【請求項９】
カメラスタンドに着脱自在であるとともに、被写体を撮像する撮像素子を備え、撮影待機状態で撮像素子により撮像した被写体のスルー画像を取り込む電子カメラ装置における撮像方法であって、
前記カメラスタンドとの装着状態を確認する工程と、
装着状態が確認されたことに伴い、撮影待機状態における前記撮像素子からの撮像信号の読み出し間隔を、前記カメラスタンドに装着されていない状態での読み出し間隔よりも長い、フリッカを生じさせない時間に設定する工程と
を含むことを特徴とする撮像方法。
【請求項１０】
カメラスタンドに着脱自在であるとともに、被写体を撮像する撮像素子を備え、撮影待機状態で撮像素子により撮像した被写体のスルー画像を取り込む電子カメラ装置が有するコンピュータを、
前記カメラスタンドとの装着状態を確認する確認手段と、
この確認手段により装着状態が確認されたことに伴い、撮影待機状態における前記撮像素子からの撮像信号の読み出し間隔を、前記カメラスタンドに装着されていない状態での読み出し間隔よりも長い、フリッカを生じさせない時間に設定する制御手段と
して機能させるためのプログラム。
【発明の詳細な説明】
【技術分野】
【０００１】
本発明は、カメラスタンドに装着され書画カメラを構成する電子カメラ装置、撮像方法及びプログラムに関する。
【背景技術】
【０００２】
近年、プレゼンテーションや会議等においては、パーソナルコンピュータにデータとして用意したドキュメントをプロジェクタによりスクリーン上に拡大投影することが行われている。また、前記ドキュメント以外にも書画原稿（新聞、雑誌の記事、プレゼン用紙等）をプロジェクタにより投影する場合には、例えばいわゆる書画カメラや、一般的なデジタルカメラによって撮影し、撮影により取得した画像データをパーソナルコンピュータに入力したり、或いはプロジェクタに直接入力することが行われている。
【０００３】
上記書画カメラとしては、例えば書面資料等が置かれる原稿台を備えたカメラスタンドとカメラ部とからなり、そのカメラ部に、撮影レンズやＣＣＤやＭＯＳ型の撮像素子、及び撮像信号の処理等を行うための各種電子回路が組み込まれたものが下記特許文献１に記載されている。
【特許文献１】特開平１１−２０５６４９号公報
【発明の開示】
【発明が解決しようとする課題】
【０００４】
ここで、上記のように書画カメラにあっては、前記カメラ部が一般的なデジタルカメラとほぼ同様の構成を有するものであることから、一般的なデジタルカメラを、それが装着可能な専用または汎用のカメラスタンドを用意することによって書画カメラとして用いることが考えられる。しかしながら、その場合には以下のような問題があった。
【０００５】
すなわち、一般的なデジタルカメラにおいては、撮影待機状態にあるとき、ＣＣＤ等の撮像素子により取り込んだ被写体画像を定期的にスルー画像として液晶モニタに表示させることにより、液晶モニタをビューファインダとして機能させており、その際には、撮像素子から撮像信号を読み出す周期、すなわちフレームレート（以下、スルーレートという）を３０枚／秒程度とすることにより、被写体に対するスルー画像の追従性を確保している。つまりスルー画像を撮影に適した速さで滑らかに動かしている。
【０００６】
ところが、上述したようにデジタルカメラを書画カメラとして使用する際の使用形態としては、室内において蛍光灯の明かりの下で撮影が行われる場合が多く予想される。その場合、上記スルーレートは家庭用電源の周波数よりも低いため、１フレームの走査時間内にフリッカと呼ばれる輝度の周期的な変化が生じることとなり、スルー画像に明暗による縞が現れて見づらくなる。一方、かかる不具合を防止するには、スルーレートを１０枚／秒程度とすればよいが、その場合には、デジタルカメラを書画カメラとして使用していない通常の使用時には、被写体に対するスルー画像の追従性が低下するという問題があった。
【０００７】
本発明は、かかる従来の課題に鑑みてなされたものであり、通常の使用時と書画カメラとしての使用時との双方において、各々に適したスルー画像の表示を可能とする電子カメラ装置、撮像方法、及びそれらの実現に使用されるプログラムを提供することを目的とする。
【課題を解決するための手段】
【０００８】
前記課題を解決するため請求項１の発明にあっては、カメラスタンドに着脱自在であるとともに、被写体を撮像する撮像素子を備え、撮影待機状態で撮像素子により撮像した被写体のスルー画像を取り込む電子カメラ装置であって、前記カメラスタンドとの装着状態を確認する確認手段と、この確認手段により装着状態が確認されたことに伴い、撮影待機状態における前記撮像素子からの撮像信号の読み出し間隔を、前記カメラスタンドに装着されていない状態での読み出し間隔よりも長い、フリッカを生じさせない時間に設定する制御手段とを備えたものとした。
【０００９】
かかる構成においては、通常の使用時には被写体に対するスルー画像の追従性が確保される一方、カメラスタンドに装着された状態、つまり書画カメラとしての使用時にはフリッカの発生が防止されることによりスルー画像の見やすさが確保される。
【００１０】
また、請求項２の発明にあっては、前記カメラスタンドに装着された状態で、カメラスタンドとの電気的な接続状態を確保する接続手段を備え、前記制御手段は、その接続手段を介して外部機器から入力した操作信号に基づく制御を実施するものとした。
【００１１】
かかる構成においては、書画カメラとしての使用時には、それに触れることなくカメラスタンドを含む外部機器から操作を行うことができる。
【００１２】
また、請求項３の発明にあっては、前記外部機器は、前記カメラスタンドに接続された機器であるものとした。
【００１３】
かかる構成においては、書画カメラとしての使用時には、電子カメラ装置に触れることなく、その操作をカメラスタンドに接続された外部機器から行うことができる。
【００１４】
また、請求項４の発明にあっては、使用者が動作を指示するための入力手段を備え、前記制御手段は、前記確認手段によりカメラスタンドとの装着状態が確認されたことに伴い、前記入力手段による使用者からの指示を無効とする動作モードによる制御を開始するものとした。
【００１５】
かかる構成においては、書画カメラとしての使用時には、電子カメラ装置の直接的な操作が自動的に禁止される。
【００１６】
また、請求項５の発明にあっては、前記カメラスタンドに装着された状態で、カメラスタンドとの電気的な接続状態を確保する接続手段と、この接続手段を介して前記カメラスタンドに設けられた電源スイッチがオン操作されたことを検出するオン操作検出手段と、このオン操作検出手段により前記電源スイッチがオン操作されたことに応答して、電源を投入する電源投入手段とを備えたものとした。
【００１７】
かかる構成においては、書画カメラとしての使用時には、電子カメラ装置をカメラスタンドからの電源スイッチを用いて起動させることができる。
【００１８】
また、請求項６の発明にあっては、前記カメラスタンドに装着された状態での起動中においては、前記カメラスタンドから供給される電力を自己の駆動電力として使用するものとした。
【００１９】
かかる構成においては、書画カメラとしての使用時には、電子カメラ装置がカメラスタンドから供給される電力により駆動されるため、電子カメラ装置のバッテリー残量を気にすることなく撮影作業をすることができる。
【００２０】
また、請求項７の発明にあっては、前記撮像素子により撮像した被写体のスルー画像を表示する表示手段を備えたものとした。
【００２１】
かかる構成においては、撮像素子により撮像した被写体のスルー画像を自機において確認することができる。
【００２２】
また、請求項８の発明にあっては、前記撮像素子により撮像した被写体のスルー画像を外部機器へ出力する出力手段を備えたものとした。
【００２３】
かかる構成においては、撮像した被写体のスルー画像を他の機器に表示させることができる。
【００２４】
また、請求項９の発明にあっては、カメラスタンドに着脱自在であるとともに、被写体を撮像する撮像素子を備え、撮影待機状態で撮像素子により撮像した被写体のスルー画像を取り込む電子カメラ装置における撮像方法であって、前記カメラスタンドとの装着状態を確認する工程と、装着状態が確認されたことに伴い、撮影待機状態における前記撮像素子からの撮像信号の読み出し間隔を、前記カメラスタンドに装着されていない状態での読み出し間隔よりも長い、フリッカを生じさせない時間に設定する工程とを含む方法とした。
【００２５】
かかる方法によれば、通常の使用時には被写体に対するスルー画像の追従性が確保される一方、カメラスタンドに装着された状態、つまり書画カメラとしての使用時にはフリッカの発生が防止されることによりスルー画像の見やすさが確保される。
【００２６】
また、請求項１０の発明にあっては、カメラスタンドに着脱自在であるとともに、被写体を撮像する撮像素子を備え、撮影待機状態で撮像素子により撮像した被写体のスルー画像を取り込む電子カメラ装置が有するコンピュータを、前記カメラスタンドとの装着状態を確認する確認手段と、この確認手段により装着状態が確認されたことに伴い、撮影待機状態における前記撮像素子からの撮像信号の読み出し間隔を、前記カメラスタンドに装着されていない状態での読み出し間隔よりも長い、フリッカを生じさせない時間に設定する制御手段として機能させるためのプログラムとした。
【発明の効果】
【００２７】
以上のように、本発明の電子カメラ装置及び撮像方法においては、電子カメラ装置が、通常の使用時には被写体に対するスルー画像の追従性を確保される一方、カメラスタンドに装着された状態、つまり書画カメラとしての使用時にはフリッカの発生が防止されることによりスルー画像の見やすさを確保されるようにした。よって、通常の使用時と書画カメラとしての使用時との双方において、各々に適したスルー画像の表示が可能となる。
【００２８】
それに加え、本発明の電子カメラ装置においては、書画カメラとしての使用時に、それに触れることなくカメラスタンド等の外部機器から操作を行うことができるようにした。よって、書画カメラとして使用する際の使い勝手を向上させることができる。さらに、その場合には電子カメラ装置の直接的な操作が自動的に禁止されるようにしたことから、書画カメラとしての使用時には、電子カメラ装置における他の使用者による不用意な操作を未然に防止することができる。
【００２９】
また、書画カメラとしての使用時には、電子カメラ装置をカメラスタンドの電源スイッチを用いて起動させることができたり、電子カメラ装置のバッテリー残量を気にすることなく撮影作業をすることができるようにした。それによっても、書画カメラとして使用する際の使い勝手を向上させることができる。
【００３０】
また、撮像した被写体のスルー画像を自機において確認したり、他の機器に表示させることができるようにした。それによっても、書画カメラとして使用する際の使い勝手を向上させることができる。
【発明を実施するための最良の形態】
【００３１】
以下、本発明の一実施の形態を図にしたがって説明する。図１は、本発明に係るデジタルカメラ５１を含む撮像投影システムの構成図である。
【００３２】
この撮像投影システムは、書画原稿Ａ等を撮影する書画カメラ１と、ＰＣ（パーソナルコンピュータ）２、プロジェクタ（投影装置）３とから構成されている。書画カメラ１とＰＣ２は第１のＵＳＢケーブル４により接続されており、ＰＣ２とプロジェクタ３とは第２のＵＳＢケーブル５、及びＲＧＢケーブル６により接続されている。なお、プロジェクタ３には、離れた場所からの操作を可能とする赤外線リモートコントロールユニット（以下、赤外リモコンという。）７が付属している。以下に、上記の書画カメラ１、ＰＣ２、プロジェクタ３の各々の詳細を説明する。
【００３３】
（書画カメラの構成）
書画カメラ１は、カメラスタンド１１と、それに着脱自在に装着されたデジタルカメラ５１とから構成されている。まず、前記カメラスタンド１１について説明する。
【００３４】
・カメラスタンド
図１に示したように、前記カメラスタンド１１は、主として書画原稿Ａ等が置かれる薄板状の原稿台１２と、原稿台１２に支持されたスタンド本体１３と、その上端部に設けられた支持アーム１４と、支持アーム１４の先端に設けられた取付部１５とから構成され、その取付部１５に前記デジタルカメラ５１が装着されている。原稿台１２はスタンド本体１３を支持する一般部に対して左右の両側部が折り畳み可能であり、かつ上記各部が他の部分と枢支されることによって、非使用時には、カメラスタンド１１全体が取り扱いの容易な薄型のパネル形状に折り畳むことができようになっている。
【００３５】
前記スタンド本体１３の側面には、第１のＵＳＢケーブル４が接続された外部側コネクタ１６（図４参照）が原稿台１２に近接して設けられるとともに、支持アーム１４が取り付けられている上端側には、カメラ用電源スイッチ１７ａと照明スイッチ１７ｂとが設けられている。カメラ用電源スイッチ１７ａは、スタンド本体１３に装着されているデジタルカメラ５１の電源をオンオフするためのスイッチ（本発明の電源スイッチ）であり、照明スイッチ１７ｂは、後述する原稿照明２１をオンオフするためのスイッチである。
【００３６】
また、図２（ａ）に示したように、支持アーム１４の先端に設けられた取付部１５の端面には、スタンド本体１３及び支持アーム１４の内部に配索されたＵＳＢケーブル１８を介して前記外部側コネクタ１６に接続されたカメラ側コネクタ１９と、係合孔２０とが並んで設けられている。また、図２（ａ）のＢ矢視図である図２（ｂ）に示したように、取付部１５の裏面側には、書画原稿Ａを照明するための原稿照明２１が設けられている。なお、原稿照明２１は、ＬＥＤ（発光ダイオード）と、その出射光の拡散板とから構成されている。そして、かかる取付部１５に、デジタルカメラ５１がカメラ固定部材２５を介して装着されている。
【００３７】
カメラ固定部材２５には、前記取付部１５に向かい突出する係合ピン２６と、デジタルカメラ５１の本体５２底部に設けられている図示しない三脚取り付け用ねじ孔に螺合する固定ねじ２７と、取付部１５の前記カメラ側コネクタ１９に接続される雌雄一対の中継コネクタ２８が設けられている。カメラ固定部材２５には、固定ねじ２７によってデジタルカメラ５１が一体化されるとともに、前記中継コネクタ２８のオス側がデジタルカメラ５１の本体５２の底部に設けられている後述の外部機器接続コネクタ７６（図３参照）と接続されている。
【００３８】
そして、カメラ固定部材２５の係合ピン２６が取付部１５の前記係合孔２０に挿入され、それが取付部１５の内部に設けられているロック機構（図示せず）と係合して、挿入方向に付勢された状態のまま抜けを阻止されることによって、カメラ固定部材２５と一体化されたデジタルカメラ５１が支持アーム１４にガタツキなく強固に支持されている。同時に、前記中継コネクタ２８のメス側が取付部１５のカメラ側コネクタ１９に接続されることにより、デジタルカメラ５１がカメラスタンド１１と電気的な接続状態を確保されている。なお、前記取付部１５には、上記ロック機構と係合ピン２６との係合状態を解除する解除ボタン２２が設けられている。
【００３９】
図３は、前記カメラスタンド１１の電気回路図である。カメラスタンド１１には、スタンド本体１３の図示しない箇所に設けられるとともに、外部ＡＣ電源に接続されたＡＣアダプタ４１が接続されるＡＣジャック２９と、前記原稿照明（ＬＥＤ）２１へ駆動電力を供給するための照明駆動回路３０とが設けられており、それらが前記照明スイッチ１７ｂを介して接続されている。ＡＣジャック２９には、スタンド本体１３と支持アーム１４の内部に配索された前記ＵＳＢケーブル１８の電源線が接続されており、これによりＡＣアダプタ４１から出力された電力がカメラスタンド１１を介してデジタルカメラ５１へ供給可能となっている。また、ＵＳＢケーブル１８の信号線は前記カメラ用電源スイッチ１７ａに接続されており、さらにＵＳＢケーブル１８は前記外部側コネクタ１６と接続されており、これによりデジタルカメラ５１は、カメラスタンド１１を介してＰＣ２との間のＵＳＢによるデータ通信が可能となっている。
【００４０】
・デジタルカメラ
次に、前記デジタルカメラ５１について説明ずる。本実施の形態のデジタルカメラ５１は、ＡＥ、ＡＷＢ、ＡＦ等の一般的な機能を有するものであり、それ単体での使用が可能であるとともに、カメラスタンド１１に装着されているときには、通常の撮影待機モード（ＲＥＣスルー・モード）で、撮像により取得した画像データを外部機器へ出力するＰＣカメラとしての機能を備えている。
【００４１】
図２（ａ）に示したようにデジタルカメラ５１の本体５２は薄型であって、その後面には、液晶モニタ５３、光学ファインダ５４、モード選択キー５５、ズーミングキー５６が設けられ、上面には、電源スイッチ５７とシャッタキー５８が設けられている。本体５２の正面には、電源オフ時にカメラ内に引き込み格納され、電源オン時にカメラ前面から突出される沈胴式のズーム機能を有する撮像レンズ５９と、撮影時に補助光を発するストロボが設けられている（図示せず）。
【００４２】
図４は前記デジタルカメラ５１の構成を示すブロック図である。レンズブロック６１には、前記撮像レンズ５９を構成するズームレンズ、フォーカスレンズ等の光学系、及び光学系を駆動するための駆動機構が含まれており、上記光学系は、駆動機構に設けられているモータ６２によって光軸方向に駆動される。デジタルカメラ５１全体を制御するＣＰＵ７２にはバス６３を介してモータドライバ６４接続されており、前記モータ６２は、ＣＰＵ７２からの制御信号に応じてモータドライバ６４から供給される駆動信号によって光学系を駆動する。なお、前記ストロボ６５もバス６３に接続されている。
【００４３】
また、デジタルカメラ５１は撮像素子としてＣＣＤ６６を有している。ＣＣＤ６６は、撮像レンズ５９の光軸上に配置されており、前述した書画原稿Ａ等の被写体は、撮像レンズ５９によってＣＣＤ６６の受光面に結像される。ＣＣＤ６６は、ＣＰＵ７２の命令に従いタイミング発生器（ＴＧ：Timing Generator）６７が生成するタイミング信号に基づき垂直及び水平ドライバ６８によって駆動され、被写体の光学像に応じたアナログの撮像信号をユニット回路６９に出力する。ユニット回路６９は、ＣＣＤ６６の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部７０へ出力する。
【００４４】
画像処理部７０は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部７０で変換されたＹＵＶデータは順次ＳＤＲＡＭ７１に格納されるとともに、ＲＥＣスルー・モードでは１フレーム分のデータ（画像データ）が蓄積される毎にビデオ信号に変換され、前記液晶モニタ（ＬＣＤ）５３へ送られてスルー画像として画面表示される。そしてＳＤＲＡＭ７１に一時記憶された画像データは、シャッターキーが押された撮影時においては、ＣＰＵ７２により圧縮され、最終的には所定のフォーマットの画像ファイルとして外部メモリ７３に記録される。
【００４５】
外部メモリ７３は、図示しないカードインターフェイスを介して接続されたカメラ本体に着脱自在なメモリカードである。外部メモリ７３に記録された画像ファイルは、ＰＬＡＹ・モードにおいてユーザーの選択操作に応じてＣＰＵ７２に読み出されるとともに伸張され、ＹＵＶデータとしてＳＤＲＡＭ７１に展開された後、本発明の表示手段である液晶モニタ５３に表示される。
【００４６】
フラッシュメモリ７４には、ＣＰＵ７２に上記各部を制御させるための各種のプログラム、例えばＡＥ、ＡＦ、ＡＷＢ制御用のプログラムや、データ通信用プログラム、さらには、ＣＰＵ７２を本発明の確認手段、制御手段として機能させるためのプログラム等の各種のプログラムが格納されている。
【００４７】
前記バス６３にはＵＳＢ通信インターフェース７５が接続され、ＵＳＢ通信インターフェース７５に前述した外部機器接続コネクタ７６が接続されている。外部機器接続コネクタ７６は本発明における接続手段、出力手段であって、デジタルカメラ５１は、外部機器接続コネクタ７６、及びＵＳＢ通信インターフェース７５を介して、前記カメラスタンド１１に接続されたＰＣ２への画像データの出力、及びＰＣ２との間におけるデータ通信が可能となっている。
【００４８】
また、デジタルカメラ５１は、本発明の入力手段である前述した電源スイッチ５７、モード選択キー５５等の複数の操作キー及びスイッチを含むキー入力部７７、及びニッケル水素電池等の充電可能なバッテリー７８の電力を上記各部に供給するための電源制御回路７９を制御するマイコン８０を有している。
【００４９】
マイコン８０は、キー入力部７７における上記操作キーの操作の有無を定常的にスキャンしており、ユーザーによっていずれかの操作キーが操作されると、その操作内容に応じた操作信号をＣＰＵ７２へ送る。また、マイコン８０には前記ＵＳＢ通信インターフェース７５の信号ラインが接続されており、マイコン８０においては、前述したカメラスタンド１１のカメラ用電源スイッチ１７ａの操作の有無が前記キー入力部７７の操作キーと同様にスキャン可能となっている。つまりマイコン８０は本発明のオン操作検出手段、電源投入手段として機能する。
【００５０】
また、前記電源制御回路７９には前記外部機器接続コネクタ７６の電源端子が接続されている。電源制御回路７９は、ＡＣアダプタ４１からカメラスタンド１１に電力が供給されている状態においては、外部機器接続コネクタ７６を介してカメラスタンド１１から供給された電力を、デジタルカメラ５１の電源がオフ状態にある間には前記バッテリー７８の充電に使用し、かつデジタルカメラ５１の電源がオン状態ある間には、駆動電力として前述した各部へ供給するよう構成されている。
【００５１】
（ＰＣの構成）
一方、図５は、前記ＰＣ２とプロジェクタ３の電気的構成の概略を示すブロック図である。まずＰＣ２の構成を説明する。
【００５２】
ＰＣ２は、本発明の外部操作機器として機能する汎用のノート型パソコンであり、ＣＰＵ８１と、ＲＡＭ８２、記憶装置８３、入力装置８４、ビデオアダプタ８５、ＶＲＡＭ８６、表示装置８７を備えている。
【００５３】
ビデオアダプタ８５は、表示用のビデオ信号（ＲＧＢ信号）を生成し、ＬＣＤ及びその駆動回路等からなる表示装置８７に出力し、ＶＲＡＭ８６は、ビデオアダプタ８５が生成した表示用の画像データを随時記憶する。また、ビデオアダプタ８５には、前記ＲＧＢケーブル６が接続されたＲＢＧ出力端子８８が設けられており、ビデオアダプタ８５は、ＣＰＵ８１の命令に応じて表示用の画像データをＲＧＢケーブル６を介してプロジェクタ３へ出力する。
【００５４】
また、ＰＣ２はＵＳＢポートを２ポート有しており、ＣＰＵ８１に接続された図示しないＵＳＢインターフェース回路に第１及び第２のＵＳＢ接続端子８９，９０が設けられている。第１のＵＳＢ接続端子８９には、前記書画カメラ１に接続されている第１のＵＳＢケーブル４が接続されており、ここから書画カメラ１（デジタルカメラ５１）から送られた画像データが入力される一方、必要に応じて書画カメラ１との間におけるデータ通信が可能となっている。また、第２のＵＳＢ接続端子９０には、プロジェクタ３に接続された第２のＵＳＢケーブル５が接続されている。
【００５５】
入力装置８４は、ＰＣ２本体に設けられた複数のキーや、本体に接続されたマウス等であり、記憶装置８３は記憶容量の比較的大きなハードディスク等である。記憶装置８３には、プレゼンテーション用のドキュメントの作成・編集を行うための所定のプレゼンテーション・プログラムや、前述したデジタルカメラ５１との間におけるデータ通信を実現するための専用プログラム、ビデオアダプタ８５に、表示装置８７に上記ドキュメントや画像等を表させるための表示用の画像データや、プロジェクタ３に出力する画像データを生成させるための画像表示プログラム、及び上記画像データに各種の加工を施すための画像処理プログラム等が格納されている。
【００５６】
なお、前記専用プログラムは、それがＰＣ２の起動中に常駐されているとき、デジタルカメラ５１から送られる起動信号に応じて自動的に起動されるものであるとともに、専用プログラムには、起動中においては前記入力装置８４の操作に応じた操作信号をデジタルカメラ５１へ出力させ、かつプログラムの終了時にはデジタルカメラ５１へ対し自動的に電源オフ操作信号を出力させるようＣＰＵ８１を機能させるためのプログラムが含まれている。
【００５７】
（プロジェクタの構成）
一方、プロジェクタ３は、ＣＰＵ９１、ＲＯＭ９２、ＲＡＭ９３、画像入力部９４、表示部９５、キー入力部９６、赤外信号受信部９７を備えている。画像入力部９４には、前記ＲＧＢケーブル６が接続されたＲＢＧ信号の入力端子９８が接続されており、ＰＣ２から入力した入力画像信号（ＲＧＢ信号）に基づき、画像を投影するための表示信号を生成し表示部９５へ送る。表示部９５は、クリプトンランプ等の光源、及び光源の光を入力表示信号に応じた投影光に変換するための液晶やマイクロミラーアレイ等の画像変換素子、その画像変換素子を、画像入力部９４から送られた表示信号に基づき駆動する駆動回路、本体の投影部３ａ（図１参照）に設けられている投影レンズ等の光学系を含み、ＰＣ２から送られた画像データに基づく表示画像をスクリーンＳに投影する。
【００５８】
ＣＰＵ９１は、ＲＯＭ９２に格納されているプログラムに従いＲＡＭ９３を作業用メモリとして動作し、プロジェクタ３全体を制御する。キー入力部９６は、ユーザーがプロジェクタ３の操作を行うために用意された、複数の操作キーにより構成されており、赤外信号受信部９７は、前述した赤外リモコン７から送られた赤外線を受光し、それにコード化されている操作信号をデコードしてＣＰＵ９１へ送る。
【００５９】
また、ＣＰＵ９１には、図示省略したＵＳＢインターフェース回路が接続されており、そこにＰＣ２に接続されている第２のＵＳＢケーブル５が接続されたＵＳＢ端子９９が設けられている。これにより、キー入力部９６の操作キーや赤外リモコン７からＣＰＵ９１に送られた操作信号が、必要に応じてＰＣ２へ送信可能となっている。
【００６０】
（デジタルカメラの動作）
【００６１】
次に、前述したデジタルカメラ５１の本発明に係る動作について説明する。デジタルカメラ５１においては、図１に示したようにカメラスタンド１１に装着されることにより書画カメラ１として使用されているとき、カメラスタンド１１にＡＣアダプタ４１が接続され、かつＡＣアダプタ４１がＡＣ電源に接続されていれば、電源がオフ状態にある間、カメラスタンド１１を介して供給された電力により前記バッテリー７８が充電中にある。
【００６２】
図６は、例えば上記の状態におけるデジタルカメラ５１の動作を示すフローチャートであって、デジタルカメラ５１は、電源オフ状態にあるときでも前述したようにマイコン８０がユーザーによるキー操作の有無を常時確認しており、自機の電源スイッチ５７、又はカメラスタンド１１のカメラ用電源スイッチ１７ａのいずれか一方がオン操作されると（ステップＳ１でＹＥＳ）、直ちに起動処理を実施してＣＰＵ７２による各部の制御を開始する（ステップＳ２）。しかる後、ＣＰＵ７２が、ＵＳＢポートにおける外部機器の接続状態を確認する処理を行うことにより、カメラスタンド１１にＰＣ２が接続されているか否かを確認する（ステップＳ３）。
【００６３】
そして、ＰＣ２が接続されている場合には（ステップＳ４でＹＥＳ）、ＰＣ２との間で通信経路を確立するための処理を行う（ステップＳ５）。なお、かかる処理においては、ＰＣ２に起動信号を送ることによって、ＰＣ２が起動中で、かつ前述した専用プログラムが常駐している状態であれば、専用プログラムを自動的に起動させる。これにより、ＰＣ２側においては、専用プログラムの起動とともに、所定の操作画面を表示装置８７に表示させるとともに、係る操作画面にしたがってユーザーがキーボード操作やマウス操作を行うと、その操作に応じた操作信号を生成し、それを第１のＵＳＢケーブル４、及びカメラスタンド１１を介してデジタルカメラ５１に送信することとなる。なお、ＰＣ２には、上記は別に、例えば専用プログラムが起動された時点で、キーボードの所定の操作を自動的に割り当てるとともに、所定のキー操作に応じた操作信号を生成して送信させるようにしてもよい。
【００６４】
引き続き、デジタルカメラ５１においては、ＣＰＵ７２が自機のキー操作を無効とする制御（外部操作モードでの動作）を開始し（ステップＳ６）、さらにＲＥＣスルー・モードでの動作時におけるスルーレート、すなわちＣＣＤ６６からの撮像信号の読み出し周期を１０枚／秒に設定する（ステップＳ７）。それ以後は、ＰＣ２から送られる操作信号に応じた処理へ移行する（ステップＳ８）。つまり、ＰＣ２からのユーザーによる操作に応じてモード切替動作、ズーム動作や撮影動作等を行う。
【００６５】
その際、ＰＣ２において専用プログラムが起動されていなければ（専用プログラムが常駐していなかったとき）には、ユーザーは事前に専用プログラムを起動させる必要がある。また、フローチャートには示さないが、ＰＣ２においてユーザーが専用プログラムを終了させたときには、ＰＣ２から電源オフ操作信号が自動的に送られることにより、その時点でデジタルカメラ５１は自動的に電源オフ状態となる。
【００６６】
一方、前述したステップＳ４の判別結果がＮＯであって、カメラスタンド１１にＰＣ２が接続されていなかったとき、及びＰＣ２が起動状態になかったときには、ＲＥＣスルー・モードでの動作時におけるスルーレートを３０枚／秒に設定し（ステップＳ９）、それ以後は、通常モードによって自機のキー操作に応じた処理へ移行する（ステップＳ１０）。つまり、通常のデジタルカメラと同様の動作を行うこととなる。また、フローチャートには示さないが、デジタルカメラ５１は通常モードと外部操作モードとに関係なく、動作後においては、カメラスタンド１１のカメラ用電源スイッチ１７ａがオフ操作されると、その時点で、電源オフ状態となる。
【００６７】
また、デジタルカメラ５１においては、カメラスタンド１１に装着されていない単独での使用時においては、前記バッテリー７８を電源としてＣＰＵ７２及びマイコン８０が上述と同様の処理を実行することにより、電源スイッチ５７がオン操作されたときには、通常モードで動作する。
【００６８】
以上説明したように本実施の形態のデジタルカメラ５１においては、カメラスタンド１１に装着された書画カメラ１としての使用時には、外部操作モードで動作するとともに、その動作モードにおいてはスルーレートが１０枚／秒に設定される。そのため、書画カメラ１としての使用時には、ユーザーはＰＣ２を介してＲＥＣスルー・モードを設定することができる。同時にユーザーがＲＥＣスルー・モードを設定して、室内の蛍光灯の明かりの下で書画原稿Ａ等を撮影するときには、撮像した画像におけるフリッカの発生が防止される。したがって、デジタルカメラ５１において液晶モニタ５３に表示されるスルー画像に見やすさを確保することができる。同時に、ＰＣ２において専用プログラムが起動しているときには、デジタルカメラ５１からカメラスタンド１１を介してＰＣ２へスルー画像が出力され、ＰＣ２の表示装置８７においてそれが表示されるが、そのスルー画像にも見やすさを確保することができる。さらに、ＰＣ２が入力したスルー画像をプロジェクタ３へ出力している状態においては、スクリーンＳに投影される投影像においても見やすさが確保されることとなる。
【００６９】
さらに、デジタルカメラ５１においては、フリッカの発生が防止されることにより、より正確な自動露出（ＡＥ）制御やオートホワイトバランス（ＡＷＢ）制御を行うこともできる。
【００７０】
なお、本実施の形態においては、書画カメラ１としての使用時（外部操作モードで動作しているとき）には、ＲＥＣスルー・モードでは取り込んだスルー画像をＰＣ２に出力するとともに、液晶モニタ５３にも表示させるものとしたが、書画カメラ１としての使用時には、液晶モニタ５３におけるスルー画像の表示を停止させるようにしてもよい。
【００７１】
また、本実施の形態においては、前述したように、カメラスタンド１１にＰＣ２が接続されていなかったとき、及びデジタルカメラ５１がカメラスタンド１１に装着されず単独での使用されるときには、通常モードで動作するとともに、そのときにはスルーレートが３０枚／秒に設定されるため、ＲＥＣスルー・モードで液晶モニタ５３に表示するスルー画像を撮影に適した速さで滑らかに動かすことができる。これにより、通常の使用時と書画カメラ１としての使用時との双方において、各々に適したスルー画像の表示を行うことができる。
【００７２】
また、デジタルカメラ５１は、書画カメラ１としての使用時においては、ＰＣ２から遠隔操作を行うことができるため使い勝手もよい。また、その際には、自機のキー操作を無効とするため、デジタルカメラ５１をＰＣ２から操作しているときの、他のユーザーによるデジタルカメラ５１の不用意な操作を未然に防止することができる。また、デジタルカメラ５１の電源をカメラスタンド１１のカメラ用電源スイッチ１７ａを用いてオン・オフ操作することができ、さらに、カメラスタンド１１から供給される電力により動作するため、バッテリー７８の残量を気にすることなく撮影作業等を行うことができ、それによっても使い勝手がよい。
【００７３】
ここで、本実施の形態のデジタルカメラ５１にあっては、それがカメラスタンド１１に装着されている状態であっても、カメラスタンド１１にＰＣ２が接続されていないときには、スルーレートを３０枚／秒に設定することによりＲＥＣスルー・モードで表示するスルー画像を撮影に適した速さで滑らかに動かすようにしたが、以下のようにしてもよい。すなわちカメラスタンド１１に装着されているときには、カメラスタンド１１におけるＰＣ２の接続の有無に関係なく常にスルーレートを１０枚／秒に設定するようにしてもよい。その場合、例えば書画原稿Ａやその他の動きのない被写体を撮影する目的で、カメラスタンド１１を単に三脚代わりとして使用する場合においてもフリッカの発生を防止することができ、撮影準備中におけるスルー画像に見やすさを確保することができる。
【００７４】
また、その場合にあっては、デジタルカメラ５１がカメラスタンド１１に装着されているか否かを確認する方法については任意であり、例えばデジタルカメラ５１の本体５２の底面に、カメラスタンド１１へ装着したときオン状態となるマイクロスイッチを設けたり、或いは前述した外部機器接続コネクタ７６に、カメラスタンド１１の中継コネクタ２８との接続状態を電気的に検出するための端子を設け、それらによってカメラスタンド１１に装着されているか否かを検出することにより、カメラスタンド１１との装着状態を確認するようにしてもよい。
【００７５】
また、本実施の形態に示したカメラスタンド１１においては、デジタルカメラ５１を操作するためのスイッチがカメラ用電源スイッチ１７ａのみである場合について説明したが、それ以外にも、ユーザーによるデジタルカメラ５１の操作（操作内容は限定されない）を可能とする１又は複数の操作スイッチを設けるようにしてもよい。その場合、デジタルカメラ５１へ対する操作内容の伝達は、本実施の形態と同様にデジタルカメラ５１側のマイコン８０に上記操作スイッチの操作の有無を常時スキャンさせたり、または、上記操作スイッチの操作内容を示す操作信号を発生する手段を別途設け、それをデジタルカメラ５１のＰＣＵ７２に出力させることにより行うようにしたりすればよい。
【００７６】
また、本実施の形態においては、ＡＥ、ＡＷＢ、ＡＦ等の一般的な機能を有するデジタルカメラ５１に本発明を適用した場合を示したが、これに限らず、本発明は、カメラスタンド（形状等は任意）に着脱自在であるとともに、被写体のスルー画像を表示する表示手段とを備えた構成を有するものであれば、例えばカメラ付き携帯電話機やカメラ付きＰＤＡ等にも適用することができる。
【図面の簡単な説明】
【００７７】
【図１】本発明に係る撮像投影システムを示すシステム構成図である。
【図２】（ａ）は、カメラスタンドへのデジタルカメラの装着構造を示す斜視図、（ｂ）は、（ａ）のＢ矢視図である。
【図３】カメラスタンドの電気回路図である。
【図４】デジタルカメラの電気的構成を示すブロック図である。
【図５】同システムにおけるプロジェクタとＰＣの電気的構成の概略を示すブロック図である。
【図６】同システムにおけるデジタルカメラの動作を示すフローチャートである。
【符号の説明】
【００７８】
１    書画カメラ
１１    カメラスタンド
１７ａ    カメラ用電源スイッチ
２５    カメラ固定部材
２９    ＡＣジャック
４１    ＡＣアダプタ
５１    デジタルカメラ
５３    液晶モニタ（ＬＣＤ）
５５    モード選択キー
５６    ズーミングキー
５７    電源スイッチ
５８    シャッタキー
６６    ＣＣＤ
７２    ＣＰＵ
７３    外部メモリ
７４    フラッシュメモリ
７５    ＵＳＢ通信インターフェース
７６    外部機器接続コネクタ
７７    キー入力部
７８    バッテリー
７９    電源制御回路
８０    マイコン
２    パーソナルコンピュータ（ＰＣ）
３    プロジェクタ
Ａ    書画原稿
【図１】
2005318023.tif 000003
【図２】
2005318023.tif 000004
【図３】
2005318023.tif 000005
【図４】
2005318023.tif 000006
【図５】
2005318023.tif 000007
【図６】
2005318023.tif 000008